(57)【要約】【課題】シリコンＤＡＡを用いたモデム通信装置における電話回線制御に関するモデムＤＳＰの負荷を軽減する。【解決手段】モデム通信装置において、シリコンＤＡＡ二次側回路１４を、ホストＣＰＵ１１とモデムＤＳＰ１２のそれぞれに、個別に、切り替えて接続するバス切り替え部１８とバス切り替え制御部１９を設け、ホストＣＰＵ１１からの回線制御用のコマンドを、モデムＤＳＰ１２を介することなく、シリコンＤＡＡ二次側回路１４に直接送信する構成とする。【選択図】        図１
2004282672.tif 000002
【特許請求の範囲】
【請求項１】
装置全体の動作制御を行うホストＣＰＵと、該ホストＣＰＵが送受信する送受信データの変復調を行うモデムＤＳＰと、回線制御および前記送受信データのＡＤ／ＤＡ変換と伝送制御を行うシリコンデータアクセスアレンジメント回路とを具備するモデム通信装置であって、
前記ホストＣＰＵと前記シリコンデータアクセスアレンジメント回路間を接続し、前記ホストＣＰＵからの前記回線制御用のコマンドを前記モデムＤＳＰを介さず前記シリコンデータアクセスアレンジメント回路に入力するデジタルインタフェース手段を有し、前記モデムＤＳＰを介さず回線制御を行うことを特徴とするモデム通信装置。
【請求項２】
装置全体の動作制御を行うホストＣＰＵと、該ホストＣＰＵが送受信する送受信データの変復調を行うモデムＤＳＰと、回線制御および前記送受信データのＡＤ／ＤＡ変換と伝送制御を行うシリコンデータアクセスアレンジメント回路とを具備するモデム通信装置であって、
前記ホストＣＰＵと前記シリコンデータアクセスアレンジメント回路間を接続し、前記ホストＣＰＵからの前記回線制御用のコマンドを前記シリコンデータアクセスアレンジメント回路に入力する第１のデジタルインタフェース手段と、
前記モデムＤＳＰと前記シリコンデータアクセスアレンジメント回路間を接続し、前記モデムＤＳＰと前記シリコンデータアクセスアレンジメント回路間での前記送受信データの通信を行う第２のデジタルインタフェース手段とを有し、
前記モデムＤＳＰを介さず回線制御を行うことを特徴とするモデム通信装置。
【請求項３】
装置全体の動作制御を行うホストＣＰＵと、該ホストＣＰＵが送受信する送受信データの変復調を行うモデムＤＳＰと、回線制御および前記送受信データのＡＤ／ＤＡ変換と伝送制御を行うシリコンデータアクセスアレンジメント回路とを具備するモデム通信装置であって、
前記ホストＣＰＵと前記シリコンデータアクセスアレンジメント回路間を接続し、前記ホストＣＰＵからの前記回線制御用のコマンドを前記シリコンデータアクセスアレンジメント回路に入力する第１のデジタルインタフェース手段と、
前記モデムＤＳＰと前記シリコンデータアクセスアレンジメント回路間を接続し、前記モデムＤＳＰと前記シリコンデータアクセスアレンジメント回路間での前記送受信データの通信を行う第２のデジタルインタフェース手段と、
前記ホストＣＰＵからの制御に基づき前記シリコンデータアクセスアレンジメント回路を前記第１のデジタルインタフェース手段と前記第２のデジタルインタフェース手段のいずれかに切り替えて接続する切り替え手段とを有し、
前記モデムＤＳＰを介さず回線制御を行うことを特徴とするモデム通信装置。
【請求項４】
請求項３に記載のモデム通信装置であって、
前記シリコンデータアクセスアレンジメント回路と前記切り替え手段および前記モデムＤＳＰを単一のパッケージ内に設けたことを特徴とするモデム通信装置。
【請求項５】
請求項１から請求項４のいずれかに記載のモデム通信装置であって、
前記デジタルインタフェース手段は、パラレルインタフェースを有することを特徴とするモデム通信装置。
【発明の詳細な説明】
【０００１】
【発明の属する技術分野】
本発明は、ファクシミリやデータ通信等におけるアナログデータ通信に用いられるモデム通信装置に係わり、特に、回線制御を効率的に行うのに好適なモデム通信装置に関するものである。
【０００２】
【従来の技術】
従来、ファクシミリやデータ通信等におけるアナログデータ通信には、モデム通信装置が用いられている。以下、代表的なトランスタイプのモデム通信装置について説明する。
【０００３】
図３は、従来の代表的なトランスタイプのモデム通信装置の構成を示すブロック図である。
【０００４】
図３に示すモデム通信装置は、モデム通信装置の動作全体を制御しているホストＣＰＵ（Ｃｅｎｔｒａｌ  Ｐｒｏｃｅｓｓｉｎｇ  Ｕｎｉｔ）３１と、送受信データを変復調するモデムＤＳＰ（Ｄｉｇｉｔａｌ  Ｓｉｇｎａｌ  Ｐｒｏｃｅｓｓｏｒ）３２、モデムＤＳＰ３２からの信号やＤＡＡ（Ｄａｔａ  Ａｃｃｅｓｓ  Ａｒｒｅｎｇｅｍｅｎｔ、データアクセスアレンジメント）二次側回路からの信号をＡＤ（Ａｎａｌｏｇ  ｔｏ  Ｄｉｇｉｔａｌ）／ＤＡ（Ｄｉｇｉｔａｌ  ｔｏ  Ａｎａｌｏｇ）処理するモデムＡＦＥ（Ａｎａｌｏｇ  Ｆｒｏｎｔ  Ｅｎｄ）３３、電話回線３７の制御を行うＤＡＡ回路を構成するＤＡＡ一次側回路３５とＤＡＡ二次側回路３４、そして一次側と二次側の絶縁を行うトランス３６で構成されている。
【０００５】
このような構成のモデム通信装置における通信動作では、まずホストＣＰＵ３１がＤＡＡ一次側回路３５を制御するか、または、ホストインタフェースによりモデムＤＳＰ３２がホストＣＰＵ３１より命令を受けてＤＡＡ一次側回路３５を制御し、電話回線３７をオフフックする。
【０００６】
その後、ホストＣＰＵ３１からの送信データをモデムＤＳＰ３２で変調し、モデムＡＦＥ３３でＤＡ変換し、ＤＡＡ二次側回路３４で信号レベルの調整などを行った後、トランス３６を介してＤＡＡ一次側回路３５へ渡し電話回線３７に送り出す。
【０００７】
また、逆の流れでは、電話回線３７から来る相手通信装置からの変調信号をＤＡＡ一次側回路３５で受け、トランス３６を介してＤＡＡ二次側回路３４に渡し、ＤＡＡ二次側回路３４で信号の整形や増幅を行い、モデムＡＦＥ３３でＡＤ変換した後、モデムＤＳＰ３２によって復調し、受信データとしてホストＣＰＵ３１に渡す。
【０００８】
通信データの送受信が終了すると、ホストＣＰＵ３１がＤＡＡ一次側回路３５を制御するか、または、ホストインタフェースによりモデムＤＳＰ３２がホストＣＰＵ３１より命令を受けてＤＡＡ一次側回路３５を制御し電話回線３７をオンフックにし通信動作を終了する。
【０００９】
この動作の中で、ホストＣＰＵ３１とモデムＤＳＰ３２との間は、システムの構成により、シリアルインタフェースの場合とパラレルインタフェースの場合がある。
【００１０】
モデムＤＳＰ３２からモデムＡＦＥ３３の間はシリアルインタフェースでデータの受け渡しが行われる。モデムＡＦＥ３３からＤＡＡ二次側回路３４、さらにＤＡＡ一次側回路３５へは、アナログ信号として通信データが流れて行き電話回線３７へと接続される。
【００１１】
次にトランスレスタイプのシリコンＤＡＡ回路を用いたモデム通信装置について説明する。
【００１２】
図４は、従来の代表的なトランスレスタイプのシリコンＤＡＡ回路を用いたモデム通信装置の構成を示すブロック図である。
【００１３】
図４におけるモデム通信装置は、モデム通信装置の全体を制御しているホストＣＰＵ４１と、送受信データを変復調するモデムＤＳＰ４２、電話回線４７の制御を行うシリコンＤＡＡ一次側回路４５とシリコンＤＡＡ二次側回路４４、そして一次側と二次側の絶縁を行うアイソレーションキャパシタ４６（絶縁コンデンサ）で構成されている。
【００１４】
図３のトランスタイプで設けられていたモデムＡＦＥ３３の機能が、シリコンＤＡＡ二次側回路４４の中に含まれている。
【００１５】
図４の構成では、通信を行うために、ホストＣＰＵ４１が電話回線４７の制御を行うが、この制御はシリアルまたはパラレルのホストインタフェースで接続されたモデムＤＳＰ４２に回線制御コマンドを発行して行う。すなわち、モデムＤＳＰ４２では、送受信データの変復調とは別に、回線の監視や回線の制御といった作業をホストＣＰＵ４１の要求により行っている。
【００１６】
モデムＤＳＰ４２からの回線制御コマンドは、シリアルインタフェースを経てシリコンＤＡＡ二次側回路４４に渡され、シリコンＤＡＡ二次側回路４４において解釈されアイソレーションキャパシタ４６を通してシリコンＤＡＡ一次側回路４５に渡され制御が行われる。
【００１７】
従って、図４の構成でのモデム通信装置の動作は、ホストＣＰＵ４１が電話回線４７を制御しオフフックにするために、モデムＤＳＰ４２に回線制御コマンドを発行し、これをモデムＤＳＰ４２はシリアルインタフェースを介してシリコンＤＡＡ二次側回路４４に送り、シリコンＤＡＡ二次側回路４４において回線制御コマンドを解釈した後、アイソレーションキャパシタ４６からシリコンＤＡＡ一次側回路４５に命令が渡り、電話回線４７をオフフックにする。
【００１８】
その後、送信データをホストＣＰＵ４１から受け取ったモデムＤＳＰ４２は、その送信データを変調してシリコンＤＡＡ二次側回路４４にシリアル転送する。
【００１９】
シリコンＤＡＡ二次側回路４４では、受け取った送信データをアナログ信号に変換し（アナログ変換は、シリコンＤＡＡ一次側回路４５で行う場合もあるが、ここではシリコンＤＡＡ二次側回路４４によって行うことを前提に説明する。）、アイソレーションキャパシタ４６を通してシリコンＤＡＡ一次側回路４５に渡し電話回線４７に送り出す。
【００２０】
受信データは、シリコンＤＡＡ一次側回路４５で受け、アイソレーションキャパシタ４６を通ってシリコンＤＡＡ二次側回路４４に渡り、デジタル変換され（デジタル変換は、シリコンＤＡＡ一次側回路４５で行う場合もあるが、ここではシリコンＤＡＡ二次側回路４４によって行うことを前提に説明する。）モデムＤＳＰ４２にシリアル転送される。
【００２１】
モデムＤＳＰ４２では、受け取った信号を復調し、受信データとしてホストＣＰＵ４１へと転送する。データの送受信が終了すると、ホストＣＰＵ４１は、モデムＤＳＰ４２に対してオンフックするための回線制御コマンドを送り、受け取ったモデムＤＳＰ４２はシリコンＤＡＡ二次側回路４４にシリアル転送し、シリコンＤＡＡ二次側回路４４において制御コマンドを解釈し、アイソレーションキャパシタ４６を通してシリコンＤＡＡ一次側回路４５を制御し、オンフックして通信動作を終了する。
【００２２】
次の図５を用いて、モデムＤＳＰ４２の構成をさらに詳細にしたモデム通信装置を説明する。
【００２３】
図５は、従来の代表的なトランスレスタイプのシリコンＤＡＡ回路を用いたモデム通信装置の詳細構成を示すブロック図であり、図６は、図５におけるモデム通信装置のモデムＤＳＰの動作タイミングを示す説明図である。
【００２４】
図５では、モデムＤＳＰ５２の内部が、ＤＳＰ部５８とシリアルインタフェース部（以下「シリアルＩ／Ｆ部」と記載）５９により構成されていることを示している。
【００２５】
モデムＤＳＰ５２内部での演算処理やデータの転送は処理の高速化を図るためにすべてパラレルで行われている。しかし、シリコンＤＡＡ二次側回路５４のインタフェースはシリアルであるためパラレルデータをシリアルデータに変換して転送しておりこの処理をモデムＤＳＰ５２内部のシリアルＩ／Ｆ部５９で行っている。
【００２６】
図４および図５の構成図より、電話回線４７，５７の制御を実際に行っているシリコンＤＡＡ一次側回路４５，５５とその制御を司るホストＣＰＵ４１，５１の間はモデムＤＳＰ４２，５２以降すべてシリアル通信で行われている。
【００２７】
この構成では、本来、送受信データの変復調のみを高速に処理させ一定のサンプリング周期でシリアル転送させたいが、図６に示すように、回線制御のコマンドを回線制御のデータとして、送受信データとは別のタイミングで受け渡しをさせるように、シリアルデータを生成し通信する機能を加えることとなり、モデムＤＳＰ４２，５２の処理負荷が増している。
【００２８】
このように、モデム通信装置を構成するときに用いるシリコンＤＡＡ二次側回路４４，５４は、モデムＤＳＰ４２，５２を介してシリアルインタフェースを用いて通信制御されている。
【００２９】
そして、送受信データの変復調などの処理はモデムＤＳＰ４２，５２を用いて行われており、これをホストＣＰＵ４１，５１が、制御することになる。このため、モデムＤＳＰ４２，５２は送受信データの変復調と同時にホストＣＰＵ４１，５１から来る回線制御コマンドを処理する必要もある。
【００３０】
このように、回線制御のすべてをホストＣＰＵ４１，５１からモデムＤＳＰ４２，５２を経由してシリコンＤＡＡ二次側回路４４，５４に行うのでは、モデムＤＳＰ４２，５２の負荷が重くなり、送受信データの変復調処理能力やプロトコル制御の拡張性を犠牲にすることとなる。
【００３１】
従って、モデムＤＳＰ４２，５２の負荷を軽くし且つ適切な制御が出来る仕組みが望まれる。
【００３２】
尚、電話回線との接続に用いるＤＡＡに関しては、例えば、特許文献１および特許文献２に記載されており、特許文献１では、各国で定められている電話規格での接続を容易とする技術が記載され、特許文献２では、ＬＥＤとフォトダイオードにより光アイソレータを構成する等の技術が記載されている。
【００３３】
【特許文献１】
特表２００２−５１８９４４号公報
【特許文献２】
特表平１１−５０９０５９号公報
【００３４】
【発明が解決しようとする課題】
解決しようとする問題点は、従来の技術では、モデム通信装置を構成するシリコンＤＡＡ二次側回路は、シリアルインタフェースを用いて通信制御され、また、システムの構成として、送受信データの変復調などの処理はモデムＤＳＰを用いて行われており、これをホストＣＰＵが、制御することになっており、このときモデムＤＳＰは送受信データの変復調と同時にホストＣＰＵから来る回線制御コマンドを処理する必要もあり、このように、回線制御のすべてをホストＣＰＵからモデムＤＳＰを経由してシリコンＤＡＡ二次側回路に行っており、モデムＤＳＰの負荷が重くなってしまう点である。
【００３５】
本発明の目的は、これら従来技術の課題を解決し、送受信データの変復調処理能力やプロトコル制御の拡張性を図ることを可能とすることである。
【００３６】
【課題を解決するための手段】
上記目的を達成するため、本発明のモデム通信装置は、モデム通信装置の通信制御のうち、回線制御信号をモデムＤＳＰを経由せずにシリコンＤＡＡ二次側回路に、ホストＣＰＵが直接行えるようにシリコンＤＡＡ二次側回路のインタフェース部分を変更する。
【００３７】
【発明の実施の形態】
以下、本発明の実施の形態を、図面により詳細に説明する。
【００３８】
図１は、本発明に係わるモデム通信装置の第１の構成例を示すブロック図である。
【００３９】
図１において、１１は装置全体の動作制御を行うホストＣＰＵ、１２はホストＣＰＵ１１が送受信する送受信データの変復調を行うモデムＤＳＰ、１４はデジタルインタフェースや電話回線制御および送受信データのＡＤ／ＤＡ変換と伝送制御を行う機能を持ち、回線制御コマンドと送受信データの信号を多重化して、絶縁手段を用いて二次側回路と一次側回路の間を伝送し電話回線とのインタフェースを行うシリコンデータアクセスアレンジメント回路の二次側回路（図中および以下「シリコンＤＡＡ二次側回路」と記載）、１５はシリコンデータアクセスアレンジメント回路の一次側回路（図中および以下「シリコンＤＡＡ一次側回路」と記載）、１６はシリコンＤＡＡ一次側回路１５とシリコンＤＡＡ二次側回路１４間の絶縁を行うアイソレーションキャパシタ、１７は電話回線、そして、１８，１９は本発明の切り替え手段を構成するバス切り替え部とバス切り替え制御部である。
【００４０】
ホストＣＰＵ１１とモデムＤＳＰ１２間は、従来技術通りパラレルＩ／Ｆ（インタフェース）もしくはシリアルＩ／Ｆで接続されているが、シリコンＤＡＡ二次側回路１４は、図示していないデジタルインタフェース部を具備し、ホストＣＰＵ１１とモデムＤＳＰ１２のそれぞれにバス切り替え部１８を介してパラレルＩ／Ｆで接続されている。
【００４１】
このような構成とすることにより本例のモデム通信装置では、ホストＣＰＵ１１からの回線制御信号を、モデムＤＳＰ１２を経由せずに、シリコンＤＡＡ二次側回路１４からシリコンＤＡＡ一次側回路１５に渡すことができる。
【００４２】
すなわち、ホストＣＰＵ１１とシリコンＤＡＡ二次側回路１４間、および、モデムＤＳＰ１２とシリコンＤＡＡ二次側回路１４間のそれぞれをバス切り替え部１８を介してパラレルＩ／Ｆで接続し、バス切り替え制御部１９が、ホストＣＰＵ１１からの信号に基づきバス切り替え部１８の切り替え動作を制御し、シリコンＤＡＡ二次側回路１４を、ホストＣＰＵ１１とモデムＤＳＰ１２のいずれか一方に接続する。
【００４３】
この接続切り替え動作により、例えば電話回線１７をオフフック制御する場合には、シリコンＤＡＡ二次側回路１４とホストＣＰＵ１１間をパラレルＩ／Ｆで接続して、オフフック制御信号をモデムＤＳＰ１２を経由せずに、ホストＣＰＵ１１からシリコンＤＡＡ二次側回路１４およびシリコンＤＡＡ一次側回路１５に直接渡すことができる。
【００４４】
また、ホストＣＰＵ１１でのデータ送受信時には、バス切り替え制御部１９は、ホストＣＰＵ１１からの信号に基づきバス切り替え部１８の切り替え動作を制御し、シリコンＤＡＡ二次側回路１４を、モデムＤＳＰ１２側に接続し、モデムＤＳＰ１２を経由してホストＣＰＵ１１とシリコンＤＡＡ二次側回路１４間での送受信データの通信を行う。
【００４５】
本例のモデム通信装置の全体動作は以下のようになる。まず最初に電話回線１７の制御を行うために、ホストＣＰＵ１１は、バス切り替え制御部１９に対して、バスの向きをホストＣＰＵ１１になるように設定し、バス切り替え制御部１９はこれを受けてバス切り替え部１８の切り替え動作を制御し、ホストＣＰＵ１１とシリコンＤＡＡ二次側回路１４とが通信できるように回路を切り替える。
【００４６】
バスが切り替わり次第、ホストＣＰＵ１１は、電話回線１７の制御コマンドをシリコンＤＡＡ一次側回路１５に送りオンフック制御して通信の準備を行う。そして、電話回線１７の制御が終われば、ホストＣＰＵ１１は、バス切り替え制御部１９に信号を送り、バス切り替え部１８により、モデムＤＳＰ１２とシリコンＤＡＡ二次側回路１４を接続させる。
【００４７】
このようにして、モデムＤＳＰ１２とシリコンＤＡＡ二次側回路１４がバス切り替え部１８を介して接続されると、ホストＣＰＵ１１からモデムＤＳＰ１２にホストインタフェース（パラレルＩ／ＦもしくはシリアルＩ／Ｆ）を用いて送信データが送られ、そのデータはモデムＤＳＰ１２内部で変調されてシリコンＤＡＡ二次側回路１４に送られる。
【００４８】
シリコンＤＡＡ二次側回路１４では、送信データをアナログ変換し（アナログ変換は、シリコンＤＡＡ一次側回路１５で行う場合もあるが、ここではシリコンＤＡＡ二次側回路１４によって行うことを前提に説明する）、アイソレーションキャパシタ１６を通してシリコンＤＡＡ一次側回路１５から電話回線１７に送り出す。
【００４９】
受信動作では、電話回線１７から入ってきた受信データがシリコンＤＡＡ一次側回路１５とアイソレーションキャパシタ１６を通りシリコンＤＡＡ二次側回路１４に入り、シリコンＤＡＡ二次側回路１４では、受信データをデジタル変換した後（デジタル変換は、シリコンＤＡＡ一次側回路１５で行う場合もあるが、ここではシリコンＤＡＡ二次側回路１４によって行うことを前提に説明する）、バス切り替え部１８を介してモデムＤＳＰ１２に送出する。
【００５０】
モデムＤＳＰ１２は、シリコンＤＡＡ二次側回路１４によってデジタル変換された受信データに対して復調処理を行い、ホストＣＰＵ１１にホストインタフェースを通して渡す。
【００５１】
このようなデータの送受信動作が終わると、ホストＣＰＵ１１は、バス切り替え制御部１９に対してバス切り替えの要求信号を出し、これを受けたバス切り替え部１９は、バス切り替え部１８の切り替え動作を制御して、ホストＣＰＵ１１とシリコンＤＡＡ二次側回路１４とを接続する。
【００５２】
そして、ホストＣＰＵ１１からオンフック制御用の回線制御コマンドをシリコンＤＡＡ二次側回路１４に送り、シリコンＤＡＡ二次側回路１４は、この回線制御コマンドを解釈して、シリコンＤＡＡ一次側回路１５に送り、シリコンＤＡＡ一次側回路１５はオンフック制御して通信終了となる。
【００５３】
このように、本例のモデム通信装置では、ホストＣＰＵ１１のリクエスト（要求）に応じてバス切り替え制御部１９がバス切り替え部１８の接続先の切り替え制御を行うことで、ホストＣＰＵ１１やモデムＤＳＰ１２を適時シリコンＤＡＡ二次側回路１４に繋ぎ変えて制御する。このことにより、回線制御コマンドを、モデムＤＳＰ１２に負荷をかけることなくシリコンＤＡＡ二次側回路１４に渡すことができる。
【００５４】
尚、図１におけるモデム通信装置では、シリコンＤＡＡ二次側回路１４とシリコンＤＡＡ一次側回路１５およびアイソレーションキャパシタ１６からなるシリコンＤＡＡ回路と、デジタルインタフェースのバス切り替え部１８およびバス切り替え制御部１９ならびにモデムＤＳＰ１２とを単一のパッケージ内に収納する構成とする。
【００５５】
次に、図２により、バス切り替え部１８およびバス切り替え制御部１９による接続先の切り替え動作を用いることなく、モデムＤＳＰ１２に負荷をかけることなく、ホストＣＰＵ１１から適時シリコンＤＡＡ二次側回路１４に、回線制御コマンドを渡すことのできるモデム通信装置について説明する。
【００５６】
図２は、本発明に係わるモデム通信装置の第２の構成例を示すブロック図である。
【００５７】
図２において、２１は装置全体の動作制御を行うホストＣＰＵ、２２はホストＣＰＵ２１が送受信する送受信データの変復調を行うモデムＤＳＰ、２４はデジタルインタフェースや電話回線制御および送受信データのＡＤ／ＤＡ変換と伝送制御を行う機能を持ち、回線制御コマンドと送受信データの信号を多重化して、絶縁手段を用いて二次側回路と一次側回路の間を伝送し電話回線とのインタフェースを行うシリコンデータアクセスアレンジメント回路の二次側回路（図中および以下「シリコンＤＡＡ二次側回路」と記載）、２５はシリコンデータアクセスアレンジメント回路の一次側回路（図中および以下「シリコンＤＡＡ一次側回路」と記載）、２６はシリコンＤＡＡ一次側回路２５とシリコンＤＡＡ二次側回路２４間の絶縁を行うアイソレーションキャパシタ、２７は電話回線である。
【００５８】
ホストＣＰＵ２１とモデムＤＳＰ２２間は、従来技術通りパラレルＩ／Ｆ（インタフェース）もしくはシリアルＩ／Ｆで接続されているが、シリコンＤＡＡ二次側回路２４は、図示していない第１，第２のデジタルインタフェース部を具備し、ホストＣＰＵ２１とモデムＤＳＰ２２のそれぞれに、個別に、パラレルＩ／Ｆで接続されている。
【００５９】
シリコンＤＡＡ二次側回路２４の内部には、電話回線２７の制御をするためのレジスタと、通信データをやり取りするためのレジスタが別々に設けられており、それぞれのレジスタは、個別のパラレルＩ／Ｆを介して、ホストＣＰＵ２１とモデムＤＳＰ２２のそれぞれとの信号・データのやり取りを行う。
【００６０】
すなわち、従来のモデム通信装置であれば、一つのインタフェースを用いアドレス情報を変えてデータを送ることで、電話回線制御用のデータか、通信用のデータかを解釈して、それぞれ必要なレジスタに格納し機能していたが、本例のモデム通信装置では、回線制御用のインタフェース（第１のデジタルインタフェース部）と、データ通信用のインタフェース（第２のデジタルインタフェース部）とを別々に設けている。
【００６１】
このことにより、少なくとも、回線制御用のレジスタとデータ通信用のレジスタとをアドレスで区別する必要はなく、単に、回線制御用のデータは回線制御で行いたい機能を割り振られたレジスタに格納されるようにレジスタ番号の情報を付けてホストＣＰＵ２１から送られ、シリコンＤＡＡ二次側回路２４で解釈され制御される。また、通信用のデータはモデムＤＳＰ２２から専用のインタフェースを用いて通信データ用のレジスタに直接格納され、送り出される。
【００６２】
このような構成により、回線制御信号はモデムＤＳＰ２２を経由せずにホストＣＰＵ２１からシリコンＤＡＡ二次側回路２４およびシリコンＤＡＡ一次側回路２５に渡され、モデムＤＳＰ２２は、回線制御データの中継役としての働きから開放され、負担が軽減される。
【００６３】
本例のモデム通信装置の全体動作は次のようになる。まず、ホストＣＰＵ２１は、モデム通信装置としての通信動作を行うために、電話回線２７のオンフック制御を行うが、この場合、回線制御コマンドを通信するためのパラレルインタフェースを通してシリコンＤＡＡ二次側回路２４を経てシリコンＤＡＡ一次側回路２５に対して行う。
【００６４】
この電話回線の制御が終わるとホストＣＰＵ２１は、送信データを、ホストインタフェース（パラレルＩ／ＦもしくはシリアルＩ／Ｆ）を経てモデムＤＳＰ２２に渡し、モデムＤＳＰ２２は受け取った送信データを変調し、シリコンＤＡＡ二次側回路２４に、送受信データを通信するためのパラレルＩ／Ｆ（第２のデジタルインタフェース部）を通して転送する。
【００６５】
シリコンＤＡＡ二次側回路２４は、転送されてきた送受信データをアナログ変換し（アナログ変換は、シリコンＤＡＡ一次側回路２５で行う場合もあるが、ここではシリコンＤＡＡ二次側回路２４によって行うことを前提に説明する）、アイソレーションキャパシタ２６を経由してシリコンＤＡＡ一次側回路２５に送り、シリコンＤＡＡ一次側回路２５から電話回線２７に送り出す。
【００６６】
データの受信時には、受信データが、電話回線２７からシリコンＤＡＡ一次側回路２５を通り、アイソレーションキャパシタ２６を経てシリコンＤＡＡ二次側回路２４に入力される。
【００６７】
シリコンＤＡＡ二次側回路２４は、受信データをデジタル変換し（デジタル変換は、シリコンＤＡＡ一次側回路２５で行う場合もあるが、ここではシリコンＤＡＡ二次側回路２４によって行うことを前提に説明する）、送受信データを通信するためのパラレルＩ／Ｆ（第２のデジタルインタフェース部）を介してモデムＤＳＰ２２に転送する。
【００６８】
モデムＤＳＰ２２は、受信データを復調してホストインタフェースを介してホストＣＰＵ２１に送る。
【００６９】
通信が完了すれば、再びホストＣＰＵ２１からシリコンＤＡＡ二次側回路２４に対して、回線制御コマンドを通信するためのパラレルＩ／Ｆ（第１のデジタルインタフェース部）を用いて、電話回線２７のオンフック制御要求を送信し、シリコンＤＡＡ二次側回路２４およびシリコンＤＡＡ一次側回路２５を介して電話回線２７のオフフック制御が行われ通信終了となる。
【００７０】
このようにして、本図２の構成のモデム通信装置では、シリコンＤＡＡ二次側回路２４が送受信データを通信するためのパラレルインタフェース部と、回線制御コマンドを通信するためのパラレルインタフェース部とを独立して持ち、それぞれにおいて、データのやり取りが出来る。これにより、モデムＤＳＰ２２は、通信データの変復調処理のみを行うことが可能となる。
【００７１】
以上、図１および図２を用いて説明したように、本例のモデム通信装置では、モデムＤＳＰ１２，２２に回線制御を行わせないように、回線制御用の信号伝達経路をデータ送受信用の経路と別に設け、モデムＤＳ１２，２２の回線制御信号の中継役としての働きから開放させ、その負荷を軽減させている。
【００７２】
すなわち、ホストＣＰＵ１１，２１とシリコンＤＡＡ回路（１４，２４）間を接続し、ホストＣＰＵ１１，２１からの回線制御用のコマンドをモデムＤＳＰ１２，２２を介さずシリコンＤＡＡ回路（１４，２４）に送信するデジタルインタフェース部（１８，１９）を設け、モデムＤＳＰ１２，２２を介さず回線制御を行う構成としている。
【００７３】
例えば、図１のモデム通信装置では、シリコンＤＡＡ二次側回路１４のデジタルインタフェースの接続先を切り替えるバス切り替え部１８と、このバス切り替え部１８の切り替え動作を制御するバス切り替え制御部１９を有し、ホストＣＰＵ２１の制御により、バス切り替え制御部１９を介してバス切り替え部１８を制御して、シリコンＤＡＡ二次側回路１４のデジタルインタフェースの接続先をホストＣＰＵ２１もしくはモデムＤＳＰ２２のいずれかに切り替えることで、同一のインタフェースで、回線制御コマンドと送受信データを切り替えてＤＡＡ回路に転送する構成としている。
【００７４】
また、図２のモデム通信装置においては、シリコンＤＡＡ回路の二次側回路（シリコンＤＡＡ二次側回路２４）において、回線制御コマンドを受けるための第１のデジタルインタフェースと、送受信データの通信を行うための第２のデジタルインタフェースを独立に設け、回線制御コマンドを受けるための第１のデジタルインタフェースでホストＣＰＵ２１とシリコンＤＡＡ二次側回路２４を、また、送受信データの通信を行うための第２のデジタルインタフェースでモデムＤＳＰ２２とシリコンＤＡＡ二次側回路２４を接続する構成としている。
【００７５】
尚、本発明は、図１、図２を用いて説明した例に限定されるものではなく、その要旨を逸脱しない範囲において種々変更可能である。例えば、図１におけるモデム通信装置では、シリコンＤＡＡ二次側回路１４とシリコンＤＡＡ一次側回路１５およびアイソレーションキャパシタ１６からなるＤＡＡ回路と、デジタルインタフェースのバス切り替え部１８およびバス切り替え制御部１９ならびにモデムＤＳＰ１２とを単一のパッケージ内に収納する構成としているが、単一のパッケージ内に収納しない構成としても良い。
【００７６】
【発明の効果】
本発明によれば、シリコンＤＡＡを用いたモデム通信装置において、シリコンＤＡＡ二次側回路とモデムＤＳＰおよびホストＣＰＵとのインタフェースをパラレルインタフェースにし、かつ、ホストＣＰＵがモデムＤＳＰに負荷をかけることなく電話回線制御を行うことができ、モデムＤＳＰおよびホストＣＰＵの負荷を軽減することが可能であり、送受信データの変復調処理能力やプロトコル制御の拡張性を図ることが可能となる。
【図面の簡単な説明】
【図１】本発明に係わるモデム通信装置の第１の構成例を示すブロック図である。
【図２】本発明に係わるモデム通信装置の第２の構成例を示すブロック図である。
【図３】従来の代表的なトランスタイプのモデム通信装置の構成を示すブロック図である。
【図４】従来の代表的なトランスレスタイプのシリコンＤＡＡ回路を用いたモデム通信装置の構成を示すブロック図である。
【図５】従来の代表的なトランスレスタイプのシリコンＤＡＡ回路を用いたモデム通信装置の詳細構成を示すブロック図である。
【図６】図５におけるモデム通信装置のモデムＤＳＰの動作タイミングを示す説明図である。
【符号の説明】
１１，２１，３１，４１，５１：ホストＣＰＵ、１２，２２，３２，４２，５２：モデムＤＳＰ、１４，２４，４４，５４：シリコンＤＡＡ二次側回路、１５，２５，４５，５５：シリコンＤＡＡ一次側回路、１６，２６，４６，５６：アイソレーションキャパシタ、１７，２７，３７，４７，５７：電話回線、１８：バス切り替え部、１９：バス切り替え制御部、３３：モデムＡＦＥ、３４：ＤＡＡ二次側回路、３５：ＤＡＡ一次側回路３５：トランス、５８：ＤＳＰ部、５９：シリアルＩ／Ｆ部。
【図１】
2004282672.tif 000003
【図２】
2004282672.tif 000004
【図３】
2004282672.tif 000005
【図４】
2004282672.tif 000006
【図５】
2004282672.tif 000007
【図６】
2004282672.tif 000008